(57)【要約】【課題】  所定の高さの特定位置に、その直下の基盤面Ｇ上の位置からの偏心距離を可及的に大きく採ることのできる支柱フレーム構造を得る。【解決手段】    基盤面Ｇ上より所定の傾斜角度をもって主柱１０が立設され、該主柱１０の中間部において側方より側方傾斜支柱１１が支持し、側方に直交して後方より後方傾斜支柱１２が支持する構成を採る。【選択図】  図１
2010162128.tif 000002
【特許請求の範囲】
【請求項１】
基盤面上にその底面が着底されるとともに、所定の傾斜角度をもって立設される所定長さの主柱と、
前記主柱の側方に配され、同じく基盤面上に底面が着底されるとともに上端を該主柱の中間部又は該中間部より下方位置に固定される側方傾斜支柱と、
前記主柱の後方に配され、同じく基盤面上に底面が着底されるとともに上端を主柱の中間部又は該中間部より下方位置に固定される後方傾斜支柱とからなる、
ことを特徴とする支柱フレーム構造。
【発明の詳細な説明】
【技術分野】
【０００１】
この発明は、対象物体の載置、把持ないしは保持するために使用されるフレーム体に関し、更に詳しくは、柱材をもってフレーム体を構成する支柱フレーム構造に関する。
【背景技術】
【０００２】
所定高さの特定位置に物体を配する場合、通常では直状の柱材を基準面（通常には地盤）上に鉛直に建て、当該柱材の先端もしくは上部に当該物体が設置される。
しかしながら、当該特定位置の直下に柱材を建てることが困難な場合、基準面での直下位置より偏心する位置に直状の柱材を建て、該柱材より水平材、曲がり部材あるいは斜め部材を継ぎ足して当該特定位置にその先端を到達させる構造が採用される。しかし、この場合、水平材、曲がり材が長くなると、大きな偏心モーメントが作用し、当該先端への荷重に耐えられず破損に至ることになり、自ずから偏心距離の大きさに制限されることになる。
また、斜材の場合についても、その基部を地盤に埋め込んでアンカー作用を持たせ、その先端を当該特定位置に到達させることもできるが、偏心距離を大きく採れないことは上記の場合と同様である。
したがって、これらの手段によっては、大きな偏心距離を採ることが困難である。
【発明の概要】
【発明が解決しようとする課題】
【０００３】
本発明は上記実情に鑑み、所定の高さの特定位置に、その直下の基盤面上の位置からの偏心距離を可及的に大きく採ることのできる新規な柱材からなる構造体、すなわち支柱フレーム構造を得ることを目的とする。
【課題を解決するための手段】
【０００４】
本発明の支柱フレーム構造は上記目的を達成するため、以下の構成を採る。
本発明の支柱フレーム構造は、請求項１に記載のとおり、
基盤面上にその底面が着底されるとともに、所定の傾斜角度をもって立設される所定長さの主柱１０と、
前記主柱の側方に配され、同じく基盤面上に底面が着底されるとともに上端を該主柱の中間部又は該中間部より下方位置に固定される側方傾斜支柱１１と、
前記主柱の後方に配され、同じく基盤面上に底面が着底されるとともに上端を主柱の中間部又は該中間部より下方位置に固定される後方傾斜支柱１２と、
からなることを特徴とする。
上記構成において、側方傾斜支柱１１及び後方傾斜支柱１２の固定される主柱１０の中間部の位置は、主柱１０の２分の１の高さ、及びその上下の近傍位置を含む。また、側方傾斜支柱１１及び後方傾斜支柱１２の主柱１０への取付け位置は同一高さに限定されるものではない。
また、上記構成において、
(1) 主柱の上端には付加体が延設されること、
(2) 主柱は傾斜移動可能であること、
(3) 主柱は多段に構成され伸縮可能であること、
は適宜採択される選択的事項である。
（作用）
主柱はその中間部で側方（ｚ方向）及び後方（ｘ方向）から２点で支持され、主柱の上方（ｙ方向）への延設による偏心モーメントは互いに直角な２方向へ分散され、大きな偏心距離を保持し、かつ主柱は斜め上方（ｘ，ｙ，ｚの３軸方向）へ３次元的に自由に延設される。
【発明の効果】
【０００５】
本発明の支柱フレーム構造によれば、主柱を所望とする所定高さの特定位置に、その直下の基盤面上の位置からの偏心距離を可及的に大きく採ることのできる。
また、主柱の配設が３次元的に自由に行われ、合理的な設計が可能となる。
更には、側方傾斜支柱, 後方傾斜支柱の長さを可及的に短くすることができ、基盤面上での障害にならない。
【図面の簡単な説明】
【０００６】
【図１】本発明の支柱フレーム構造の一実施形態の球技用打撃練習装置への適用例を示し、当該球技用打撃練習装置の全体構成（定状態）を示す正面図（図２、図３の１方向矢視図）。
【図２】当該球技用打撃練習装置の全体を示す側面図（図１、図３の２方向矢視図）。
【図３】当該球技用打撃練習装置の全体を示す平面図（図１、図２の３方向矢視図）。
【図４】当該球技用打撃練習装置の動状態の動作図であり、(a) 図は該装置の側面概略図、(b) 図は該装置内部における動作図。
【発明を実施するための形態】
【０００７】
本発明の支柱フレーム構造の実施の形態を図面に基づいて説明する。
図１〜図４は本支柱フレーム構造の一実施形態を示し、球技用（野球用）打撃練習装置（以下単に打撃練習装置という。）への適用例を示す。更に、本打撃練習装置では可搬式の態様を採る。
図において、図１〜図３は本打撃練習装置Ｓの全体の外観構成を示し、図４は本装置Ｓの動作状態を示す。
なお図において、Ｇは基盤面として本打撃練習装置Ｓの載置される地表面あるいは床面であり、イは打撃球の飛翔方向を示す。
【０００８】
図１〜図３に示すように、本実施形態の打撃練習装置Ｓは、打撃球１を介して２本１組の上部ワイヤー２を主体とする上部ワイヤー系と２本１組の下部ワイヤー３を主体とする下部ワイヤー系とに分かれ、上部ワイヤー系及び下部ワイヤー系を保持する上下部のフレーム機構（４，５）と、上部ワイヤー系及び下部ワイヤー系に沿って配されるとともに当該ワイヤー系に運動機能を付与する運動機構部（Ｓａ，Ｓｂ）とから構成される。
更に述べれば、フレーム機構は、上部ワイヤーを主として保持する上部フレームとしての支柱フレーム４と、上部及び下部ワイヤーを引き入れるとともにこれらのワイヤーを保持する下部フレームとしての基台５とからなる。
また、運動機構部は、打撃練習者の打撃空間を提供し、打撃によるワイヤー２，３の繰出し及び引戻し運動をなす打撃機構部Ｓａと、動滑車機構６及び引戻し機構７を含み、ワイヤー２，３の繰出しを受けて該繰出し・引戻しに伴う所定の引戻し作用を発揮する復帰機構部Ｓｂとからなる。
なお、本打撃練習装置Ｓの前後関係は打撃球１の飛翔する方向イを前方とする。また、図に示すｘ、ｙ、ｚ軸は本装置Ｓの立体位置関係を示し、打撃球１の飛翔する方向をｘ軸に採り、高さ方向をｙ軸とし、幅あるいは奥行方向をｚ軸に採る。
【０００９】
以下、各部の構成につき詳しく説明する。
フレーム機構（図１〜図３参照）
フレーム機構は支柱フレーム４と基台５とを含み、剛性を有し、機能部材を保持する機枠機能をなす。本打撃練習装置Ｓにおいては、支柱フレーム４が特徴部をなすが、基台５についても復帰機構部Ｓｂを収容する外、支柱フレーム４の取付け、更には本打撃練習装置Ｓの設置並びに位置の基準を決める機能を担う。すなわち、基台５は本発明概念の基盤面として機能する。
【００１０】
支柱フレーム４（図１〜図３参照）
支柱フレーム４は、基台５上に基端を固定され所定の角度をもって立設される主柱１０と、同じく基台５上に基端を植設され上端を主柱１０の中間部に固定される側方傾斜支柱１１と、基台５より後方位置に基端を置き上端を主柱１０の中間部に固定される後方傾斜支柱１２とからなる。図において、αは主柱１０のｙ−ｚ面への投影角、βはｘ−ｙ面への投影角を示す。
更に、主柱１０は上端において付加体としての水平延長部１３をもって水平に側方方向すなわちｚ方向に延長される。
各柱材１０，１１，１２は本実施形態では中空状をなし、図例では四角断面をなすが、円形断面を除外しない。
（主柱１０）
本支柱フレーム４の主柱１０は、その基端を基台５上に固定され所定の角度をもって後方（ｘ方向）及び側方（ｚ方向）に傾斜される。すなわち、立体的に斜めに配される。該主柱１０は、その上端において折り曲げられて付加体としての水平延長部１３が水平の側方方向（ｚ方向）に延設される。
該主柱１０は中空状をなし、その内部に適宜数の定滑車が設置され、上部ワイヤー２が該定滑車に掛け回され、該中空部内に挿通される。また、その基端は基台５に開設された開口１４に連通して設置される。
該主柱１０はその基端を基台５に固定されるものであるが、取り外し可能の態様を除外するものでなく、また、回動を許容する態様も除外しない。
（側方傾斜支柱１１）
側方傾斜支柱１１は、基台５上の中央寄りに基端を植設されるとともに上端を主柱１０の中間部に取り付けられたブラケット材１０ａに固定され、支柱１０の側方向の傾斜角度αを決める。該側方傾斜支柱１１は軽量化をなすため中空状を採るが、中実を除外しない。
該側方傾斜支柱１１はその基端を基台５に固定されるものであるが、取り外し可能の態様を除外するものでなく、また、回動を許容することも除外しない。
主柱１０との固定についても取り外し可能の態様を除外するものでなく、また回転を許容するピン固定を除外しない。
（後方傾斜支柱１２）
後方傾斜支柱１２は、基台５の後側面の中央寄りの後方位置に端版１２ａを介して基端を置き、上端を主柱１０の中間部に取り付けられたブラケット材１０ｂに固定され、主柱１０の後方への傾斜角度βを決める。該後方傾斜支柱１２は、前記した側方傾斜支柱１１と同様、軽量化をなすため中空状を採るが、中実を除外しない。
該後方傾斜支柱１２の主柱１０との固定についても取り外し可能の態様を除外するものでなく、また回動を許容するピン固定を除外しない。
上記の側方傾斜支柱１１及び後方傾斜支柱１２の主柱１０への取付けは、組付け・解体可能な固定手段、例えばボルト・ナットの固定手段を採ることにより、支柱フレーム４の組立て化が図られる。
【００１１】
基台５（図１〜図３参照）
基台５は剛性の中空箱状をなし、前記したとおり、上部及び下部ワイヤー２，３を引き入れるとともにこれらのワイヤー２，３を保持しかつ復帰機構部Ｓｂを保持し、かつは支柱フレーム４ひいては本打撃練習装置Ｓの設置並びに位置の基準を決める機能を担う。
該基台５はこのため、その上面に前記した開口１４の外，開口１５を有する。開口１４は主柱１０の中空部と連通するいわゆる上部ワイヤー２用の開口であり、開口１５は下部ワイヤー３用の開口である。
【００１２】
フレーム機構の機能
このように、本実施形態の打撃練習装置Ｓのフレーム機構は、支柱フレーム４と基台５とが相関連して次の機能を担う。
先ず、当該フレーム機構を構成する支柱フレーム４特にはその主柱１０と基台５とにより保持される上下部ワイヤー２，３につき、主柱１０の水平延長部１３に形成される上部ワイヤー２の飛出し口（又は繰出し口）と基台５に形成される下部ワイヤー３の飛出し口（又は繰出し口）との間にわたり、所定の傾斜角度を保持する配置面を与えることを主たる機能とする。
次に、本フレーム機構では一つの小型化された躯体構造が得られ、この躯体構造内に上下部ワイヤー２，３のワイヤー系及び該ワイヤー系に運動機能を付与する運動機構部（Ｓａ，Ｓｂ）が組み込まれて収容され、持ち運びに適した構造体となる。
【００１３】
運動機構部
運動機構部は、上部ワイヤー系及び下部ワイヤー系に沿って配されるとともに当該ワイヤー系に運動機能を付与する機能を担い、打撃機構部Ｓａと復帰機構部Ｓｂとからなる。
【００１４】
打撃機構部Ｓａ
打撃機構部Ｓａは打撃練習者の打撃空間を提供し、打撃によるワイヤー２，３の繰出し及び引戻し運動をなす機能を担う。
本実施形態の打撃機構部Ｓａは、支柱フレーム４と基台５とからなるフレーム機構の作る傾斜面に配される打撃球１と、該傾斜面に放射状に張られる上部ワイヤー２及び下部ワイヤー３とによって構成される。
（打撃球１）
打撃球１は球体をなし、その中心を貫通して１本の所定長のワイヤー１７が一体に配されるとともに、該ワイヤー１７の端部に継手１８（上部継手１８ａ、下部継手１８ｂ）が配される。
（上部ワイヤー２／下部ワイヤー３）
上部ワイヤー２は、前記した打撃球１の上部に配されるワイヤー１７及び継手１８ａを含み、該継手１８ａを介して配される２本のワイヤー２０（２０ａ，２０ｂ）よりなる。
下部ワイヤー３は、前記した打撃球１の下部に配されるワイヤー１７及び継手１８ｂを含み、該継手１８ｂを介して配される２本のワイヤー２１（２１ａ，２１ｂ）よりなる。
上部ワイヤー２について、継手１８ａより更に上位において案内ローラ２２を介して主柱１０内に導かれ、該主柱１０内に適宜に配された縦定滑車に掛け回され、基台５内の縦定滑車に導かれる。基台５内でのワイヤー２は更に復帰機構部Ｓｂに導かれる。
下部ワイヤー３について、継手１８ｂより更に下位において案内ローラ２３を介して基台５内に導かれ、該基台５内に横並びに配された縦定滑車に掛け回される。基台５内でのワイヤー３は更に復帰機構部Ｓｂに導かれる。
【００１５】
復帰機構部Ｓｂ（図４参照）
復帰機構部Ｓｂは、打撃機構部Ｓａに連動し、ワイヤー２，３の繰出しを受けて該繰出し・引戻しに伴う所定の引戻し作用を発揮する。
このため復帰機構部Ｓｂは、定滑車と動滑車の組み合わせよりなる動滑車機構６と、該動滑車機構６の動滑車に連動して配される引戻し機構７の主要部からなる。
本実施形態では、上部ワイヤー２の上部ワイヤー系、下部ワイヤー３の下部ワイヤー系はそれぞれ実質的に同一の動滑車機構６及び引戻し機構７を採り、同期的に動作する。
【００１６】
（動滑車機構６）
動滑車機構６は、打撃機構部Ｓａより適宜の案内用横滑車を介して、又は介さずに定滑車群３０、動滑車群３１に導かれてなる。
定滑車群３０は２つの相並ぶ定滑車３３，３４よりなる。
動滑車群３１は２つの相並ぶ動滑車３５，３６よりなり、定位置状態で定滑車群３０より所定距離に離れた位置、すなわち静止位置に配される。動滑車３５，３６は縦置きとされ、各保持枠に回転自在に保持される。
定滑車群３０と動滑車群３１との間にはストッパー３８が定滑車群３０寄りに固定される。定状態での上記の動滑車群３１の保持枠とストッパー３８との距離が、動滑車群３１の行程（ストローク）を決める。
しかして、ワイヤー２，３は打撃機構部Ｓａより定滑車３３の下方の滑車に掛け回されて動滑車３５へ導かれ、動滑車３５を下方から上方に掛け回されて定滑車３３へ導かれ、定滑車３３の上方の滑車に掛け回されて動滑車３６へ導かれ、動滑車３６を上方から下方に掛け回されて定滑車３４に導かれ、定滑車３４の下方に掛け回され更に延長される。
（引戻し機構７）
引戻し機構７は、基台５内の奥方位置（ｚ方向）に、動滑車機構６の動滑車群３１に連動して固定状態をもって配される。すなわち、本引戻し機構７は該引き戻し機構７の引戻し装置４０から所定の力で引き出される引張り材４１を備え、該引張り材４１の端部は動滑車機構６の動滑車群３１の各枠体に係合し、動滑車群３１への引込み力をもって引込み作用をなす。
【００１７】
その他の部材
本打撃練習装置Ｓの基台５の下底に必要に応じて車輪（図示せず）が装着される。該車輪は基台５より出入自在の態様を採ることができる。
これにより、本練習装置Ｓは容易に移動をなすことができる。
【００１８】
（本打撃練習装置Ｓの設置）
本打撃練習装置Ｓは可搬式態様を採るものであり、かつは組立て式でもあり、本打撃練習装置Ｓの組立てがなされる。
すなわち、フレーム機構につき、基台５上に主柱１０を組み付けて立設し、該主柱１０へ側方傾斜支柱１１及び後方傾斜支柱１２を固定し、支柱フレーム４と基台５とからなるフレーム機構を組み立てる。
使用において、本打撃練習装置Ｓは床等の所定の平坦な表面Ｇ上に設置される。
【００１９】
（本打撃練習装置Ｓの作用）
上記構成よりなる本球技用打撃練習装置Ｓは以下の作用をなす。図１〜図３は本装置Ｓにおける打撃球１の停止状態（これを「定状態」という）を示し、図１０は本装置Ｓの打撃球１の作動状態（これを「動状態」という）を示す。
定状態において、打撃機構部Ｓａでの打撃球静止保持面上の上部及び下部ワイヤー２，３は引戻し機構７により上部及び下部ワイヤー系を介して予張力を受け、かつは該打撃球静止保持面における３次元配置により、該ワイヤー２，３に保持された打撃球１は安定して停止状態を保持する。
この安定的状態は、動状態の戻り動作からの停止につき、直ちに停止し、格別の作用を発揮する。
【００２０】
打撃の練習のため、練習者がバットにより打撃球１を打撃すると、打撃球１はその打撃力をもって該打撃力のベクトル方向（イ方向）に飛び出す。
打撃機構部Ｓａにおいて、打撃球１の前方への飛出しに応じて上下部ワイヤー２，３は打撃球１に追従して繰り出される。案内ローラ２２，２３はワイヤー２，３の急速な繰出しの振れを抑える。
復帰機構部Ｓｂにおいて、ワイヤー２，３が定滑車群３０と動滑車群３１との間で動滑車３５，３６の移動とともに繰り出される。動滑車３５，３６の定滑車３３，３４への向けての移動（ｚ方向）はワイヤー２，３の繰出し力により、引戻し機構７の引戻し装置４０の引戻し力に抗し、引張り材４１を介してなされる。
動滑車３５，３６の移動は引戻し装置４０の引戻し力により減速され、停止し、しかる後直ちに引戻し装置４０の引戻し力を受けて引戻し機構７へ向けて戻ることになる。
この復帰機構部Ｓｂの動作に伴い、打撃機構部Ｓａでの打撃球１は空中にて停止し、しかる後、直ちに初期位置に向けて逆飛翔するものである。この逆飛翔において、ワイヤー２，３はガイドローラ２２，２３の案内作用により本装置Ｓ内に円滑に引き戻される。
打撃球１が初期位置の近傍に至ると、３方向からの引張り力を受けて格別の振れも生ぜず、元位置に速やかに停止する。
【００２１】
（本打撃練習装置Ｓの効果）
本打撃練習装置Ｓによれば、支柱フレーム４と基台５とから特有のフレーム機構を採ることにより、打撃球１の配置を傾斜面上に実現でき、かつ基台５内にその機能部分である運動機構部（打撃機構部Ｓａ、復帰機構部Ｓｂ）が収容され、装置全体の小型化、かつ可搬化を図ることができる。
また、打撃球１は、本装置Ｓの打撃機構部Ｓａにおいて、打撃球１を挟んで上下に各々３方向からの引張り力を受けて安定的な静止状態を保持できる。この状態は定状態については当然に発揮され、強風などの外力が作用したとしても揺れを生じることがなく、また動状態についても、打撃球１の戻り運動のあと当初の静止位置へ速やかに復帰し、大きな減衰性を発揮する。
【００２２】
（本実施形態のフレーム構造の効果）
本実施形態では主柱１０と側方傾斜支柱１１と後方傾斜支柱１２とから支柱フレーム構造としての支柱フレーム４が構成され、側方傾斜支柱１１と後方傾斜支柱１２とを適宜の長さ、傾斜角度を採ることにより主柱１０は自由な傾斜に配することができる。また、該主柱１０の先端の偏心距離を可及的大きくなすことができる。
そして、付加体としての水平延長部１３により機能部材の配設の自由度が高まり、利便性が高い。
【００２３】
本発明は上記した実施の形態に限定されるものではなく、本発明の基本的技術思想の範囲内で種々設計変更が可能である。
【符号の説明】
【００２４】
Ｓ…球技用打撃練習装置、Ｇ…基盤面、４…支柱フレーム、５…基台、１０…主柱、１１…側方傾斜支柱、１２…後方傾斜支柱、１３…水平延長部（付加体）
【図１】
2010162128.tif 000003
【図２】
2010162128.tif 000004
【図３】
2010162128.tif 000005
【図４】
2010162128.tif 000006